(57)【要約】      （修正有）【課題】ソーラーパワー型コンバインドサイクル発電装置は、利用可能な太陽放射の間欠性により設備利用率が低いことがあるため、電力を発生するための改良されたシステムを提供する。【解決手段】コンバインドサイクルシステム１０は、ガスタービンシステム１２と、熱エネルギー蓄積装置１４と、熱回収システム１６とを含む。ガスタービンシステム１２は、太陽エネルギー１３によって動力供給され、第１の大きさの電力を発生する。熱エネルギー蓄積装置１４は、ガスタービンシステム１２から膨張した排気ガスを選択的に受け取り、膨張した排気ガスの熱を蓄積する。熱回収システム１６は、ガスタービンシステム１２および熱エネルギー蓄積装置１４に結合され、ガスタービンシステム１２および熱エネルギー蓄積装置１４の少なくとも１つによって選択的に動力供給され、第２の大きさの電力を発生する。【選択図】図１
2013076401.tif 000002
【特許請求の範囲】
【請求項１】
第１の大きさの電力を発生するために、太陽エネルギーによって動力供給されるガスタービンシステムと、
前記ガスタービンシステムに結合された熱エネルギー蓄積装置であって、前記ガスタービンシステムから膨張した排気ガスを選択的に受け取り、前記膨張した排気ガスの熱を蓄積するように構成された、熱エネルギー蓄積装置と、
前記ガスタービンシステムおよび前記熱エネルギー蓄積装置に結合された熱回収システムであって、第２の大きさの電力を発生するために、前記ガスタービンシステムおよび前記熱エネルギー蓄積装置の少なくとも１つによって選択的に動力供給される、熱回収システムと
を備える、システム。
【請求項２】
前記熱エネルギー蓄積装置が潜熱蓄積装置を備える、請求項１に記載のシステム。
【請求項３】
前記熱エネルギー蓄積装置が顕熱蓄積装置を備える、請求項１に記載のシステム。
【請求項４】
前記熱回収システムが有機ランキンサイクルシステムを備える、請求項１に記載のシステム。
【請求項５】
前記熱回収システムが水蒸気サイクルシステムを備える、請求項１に記載のシステム。
【請求項６】
前記ガスタービンシステムと前記熱エネルギー蓄積装置の間に配置され、前記ガスタービンシステムから前記熱エネルギー蓄積装置への前記膨張した排気ガスの流れを制御するように構成された第１の制御装置を備える、請求項１に記載のシステム。
【請求項７】
前記第１の制御装置が第１の制御３方向弁を備える、請求項６に記載のシステム。
【請求項８】
前記熱エネルギー蓄積装置と前記熱回収システムの間に配置され、前記熱エネルギー蓄積装置からの熱、および前記ガスタービンシステムからの前記膨張した排気ガスの少なくとも１つの、前記熱回収システムへの流れを制御するように構成された、第２の制御装置をさらに備える、請求項６に記載のシステム。
【請求項９】
前記第２の制御装置が第２の制御３方向弁を備える、請求項８に記載のシステム。
【請求項１０】
前記第１の制御装置から前記第２の制御装置に延び、前記ガスタービンシステムから前記熱回収システムへの前記膨張した排気ガスの流れに対して、前記熱エネルギー蓄積装置を迂回する迂回路をさらに備える、請求項８に記載のシステム。
【請求項１１】
第１の大きさの電力を発生するために、太陽エネルギーを用いてガスタービンシステムに動力供給するステップと、
膨張した排気ガスの熱を熱エネルギー蓄積装置に蓄積するように、前記膨張した排気ガスを前記ガスタービンシステムから前記熱エネルギー蓄積装置に選択的に導くステップと、
第２の大きさの電力を発生するために、前記ガスタービンシステムおよび前記熱エネルギー蓄積装置の少なくとも１つによって、熱回収システムに選択的に動力供給するステップと
を含む、方法。
【請求項１２】
前記膨張した排気ガスを、前記ガスタービンシステムから、潜熱蓄積装置を有する前記熱エネルギー蓄積装置に導くステップを含む、請求項１１に記載の方法。
【請求項１３】
前記膨張した排気ガスを、前記ガスタービンシステムから、顕熱蓄積装置を有する前記熱エネルギー蓄積装置に導くステップを含む、請求項１１に記載の方法。
【請求項１４】
有機ランキンサイクルシステムを有する前記熱回収システムに選択的に動力供給するステップを含む、請求項１１に記載の方法。
【請求項１５】
水蒸気サイクルシステムを備える前記熱回収システムに選択的に動力供給するステップを含む、請求項１１に記載の方法。
【請求項１６】
前記ガスタービンシステムと前記熱エネルギー蓄積装置の間に配置された第１の制御装置によって、前記ガスタービンシステムから前記熱エネルギー蓄積装置への前記膨張した排気ガスの流れを制御するステップを含む、請求項１１に記載の方法。
【請求項１７】
前記熱エネルギー蓄積装置と前記熱回収システムの間に配置された第２の制御装置によって、前記熱エネルギー蓄積装置からの熱、および前記ガスタービンシステムからの前記膨張した排気ガスの少なくとも１つの、前記熱回収システムへの流れを制御するステップを含む、請求項１６に記載の方法。
【請求項１８】
前記第１の制御装置から前記第２の制御装置に延び、前記熱エネルギー蓄積装置を迂回する迂回路を通じて、前記ガスタービンシステムから前記熱回収システムへの前記膨張した排気ガスの流れを導くステップを含む、請求項１７に記載の方法。
【請求項１９】
第１の大きさの電力を発生するために、太陽エネルギーによって動力供給されるガスタービンシステムと、
前記ガスタービンシステムに結合された熱エネルギー蓄積装置であって、前記ガスタービンシステムから膨張した排気ガスを選択的に受け取り、前記膨張した排気ガスの熱を蓄積するように構成された、熱エネルギー蓄積装置と
を備える、システムであって、
前記ガスタービンシステムおよび前記熱エネルギー蓄積装置は、熱回収システムに結合されるように構成され、前記ガスタービンシステムおよび前記熱エネルギー蓄積装置の少なくとも１つは、第２の大きさの電力を発生するために、前記熱回収システムに選択的に動力供給するように構成される、システム。
【請求項２０】
熱エネルギー蓄積装置と、
前記熱エネルギー蓄積装置に結合された熱回収システムと
を備える、システムであって、
前記熱エネルギー蓄積装置および前記熱回収システムは、第１の大きさの電力を発生するために、太陽エネルギーによって動力供給されるガスタービンシステムに結合されるように構成され、前記熱エネルギー蓄積装置は、前記ガスタービンシステムから膨張した排気ガスを選択的に受け取り、前記膨張した排気ガスの熱を蓄積するように構成され、前記熱回収システムは、第２の大きさの電力を発生するために、前記ガスタービンシステムおよび前記熱エネルギー蓄積装置の少なくとも１つによって選択的に動力供給される、システム。
【発明の詳細な説明】
【技術分野】
【０００１】
本発明は一般に発電システムに関し、より具体的には、統合された熱蓄積装置を有するソーラーパワー型コンバインドサイクルシステムに関する。
【背景技術】
【０００２】
電力の発生においてコンバインドサイクルは、同じ熱源から縦続して働き、熱を機械エネルギーに変換して発電機を駆動する熱機関の集合である。１つの熱機関の排気は、別の熱機関のための熱源として使用され、それにより、より有用なエネルギーを熱から抽出し、システムの総合効率を増加する。
【０００３】
熱機関は、燃料の燃焼によって発生されるエネルギーの一部分しか使用しない。一般に燃焼による残りの熱は無駄になる。２つ以上の熱力学サイクルを組み合わせることにより、結果として総合効率が改善され、燃料コストが低減される。コンバインドサイクル発電装置は電気を発生し、排気の熱は追加の電気を発生するためにタービンを駆動するのに用いられ、発電装置の効率を向上する。
【先行技術文献】
【特許文献】
【０００４】
【特許文献１】米国特許出願公開第２０１０／０３２６０８４号明細書
【発明の概要】
【０００５】
いくつかの応用例では、集光型ソーラータワー装置は、太陽光で働くガスタービンの使用が可能になる高い達成可能温度のため、コスト／パフォーマンス比の点から魅力的である。このようなソーラーパワー型ガスタービンシステムは、コンバインドサイクルとして構築され、ガスタービンからの排気は追加のボトミングサイクルに動力供給するため使用される。しかしソーラーパワー型コンバインドサイクル発電装置は、利用可能な太陽放射の間欠性により設備利用率が低い。一部の応用例では、太陽光が利用できないときに化石燃料を用いてガスタービンを動作させるために、ハイブリッドシステムが用いられる。このようなシステムには、二酸化炭素排出に関連する欠点がある。
【０００６】
電力を発生するための改良されたシステムが必要である。
【０００７】
本発明の１つの例示的実施形態によれば、システムは、ガスタービンシステムと、熱エネルギー蓄積装置と、熱回収システムとを含む。ガスタービンシステムは、第１の大きさの電力を発生するために、太陽エネルギーによって動力供給される。熱エネルギー蓄積装置は、ガスタービンシステムに結合される。熱エネルギー蓄積装置は、ガスタービンシステムから膨張した排気ガスを選択的に受け取り、膨張した排気ガスの熱を蓄積するように構成される。熱回収システムは、ガスタービンシステムおよび熱エネルギー蓄積装置に結合される。熱回収システムは、第２の大きさの電力を発生するために、ガスタービンシステムおよび熱エネルギー蓄積装置の少なくとも１つによって選択的に動力供給される。
【０００８】
本発明の他の例示的実施形態によれば、方法は、第１の大きさの電力を発生するために、太陽エネルギーを用いてガスタービンシステムに動力供給するステップを含む。方法はさらに、膨張した排気ガスの熱を熱エネルギー蓄積装置に蓄積するように、膨張した排気ガスをガスタービンシステムから熱エネルギー蓄積装置に選択的に導くステップを含む。方法はまた、第２の大きさの電力を発生するために、ガスタービンシステムおよび熱エネルギー蓄積装置の少なくとも１つによって、熱回収システムに選択的に動力供給するステップを含む。
【０００９】
本発明の他の例示的実施形態によれば、ガスタービンシステムと、熱エネルギー蓄積装置とを含むシステムが開示される。
【００１０】
本発明の他の例示的実施形態によれば、熱エネルギー蓄積装置と、熱回収システムとを含むシステムが開示される。
【００１１】
本発明の上記その他の特徴、態様、および利点は、各図面を通して同様な文字は同様な部分を表す添付の図面を参照して以下の詳細な説明を読めば、より良く理解されよう。
【図面の簡単な説明】
【００１２】
【図１】本発明の例示的実施形態による、電力を発生するためのコンバインドサイクルシステムのブロック図である。
【図２】本発明の他の例示的実施形態による、電力を発生するためのコンバインドサイクルシステムのブロック図である。
【発明を実施するための形態】
【００１３】
以下で詳しく述べるように本発明の実施形態は、熱エネルギー蓄積装置および熱回収システムと組み合わされた、ソーラーパワー型ガスタービンシステムを含むシステムが開示される。熱エネルギー蓄積装置は、ガスタービンシステムから膨張した排気ガスを選択的に受け取り、膨張した排気ガスの熱を蓄積するように構成される。熱回収システムは、電力を発生するために、ガスタービンシステムおよび熱エネルギー蓄積装置の少なくとも１つによって選択的に動力供給される。ソーラーパワー型ガスタービンからの低温排気熱は、熱エネルギー蓄積装置に蓄積されるか、または廃熱回収システムに動力供給するために直接使用される。ガスタービンシステムが動作状態でない場合は、熱エネルギー蓄積装置からの熱は、廃熱回収システムに動力供給するために使用される。このシステムにより、太陽熱の利用可能性および熱エネルギー蓄積能力に応じて柔軟性のある動作が可能になる。
【００１４】
図１を参照すると本発明の例示的実施形態による、電力を発生するためのコンバインドサイクルシステム１０が示される。システム１０は、ガスタービンシステム１２と、熱エネルギー蓄積装置１４と、熱回収システム１６とを含む。ガスタービンシステム１２は、圧縮機１８、タービン２０、および圧縮機１８とタービン２０の間に配置された燃焼器２２を含む。空気１１は圧縮機１８によって圧縮され、燃焼器２２に供給される。集められた太陽放射１３は、燃焼器２２内の加圧された空気１５を加熱するために用いられる。このような一実施形態では太陽放射１３は、複数の太陽光ミラー１７およびソーラータワー受光器１９によって燃焼器２２に導かれる。いくつかの実施形態では加圧された空気１５は、摂氏約７００°から約１０００°の範囲の温度まで加熱される。燃焼器２２からの高温ガス流２１は、タービン２０によって膨張される。ガス流２１の温度および圧力は、タービン２０内で減少される。いくつかの実施形態では、タービン２０の出口でのガス流の温度は、摂氏約４００°から約５００°の範囲にある。タービン２０は、発電機２６に結合され、第１の大きさの電力を発生するように構成される。
【００１５】
図示の実施形態では熱エネルギー蓄積装置１４は、第１の制御装置２８を通じてタービン２０に結合される。熱エネルギー蓄積装置１４は、タービン２０から膨張した排気ガス２３を選択的に受け取り、膨張した排気ガス２３の熱を蓄積するように構成される。熱エネルギー蓄積とは、高温または低温での熱エネルギーの一時的蓄積として定義される。エネルギー蓄積は、エネルギー供給とエネルギー需要との時間的または比率の不整合を低減し、省エネルギーのために重要である。第１の制御装置２８は、タービン２０から熱エネルギー蓄積装置１４への膨張した排気ガス２３の流れを制御するように構成される。図示の実施形態では第１の制御装置２８は、第１の制御３方向弁である。一実施形態では熱エネルギー蓄積装置１４は、潜熱蓄積装置を含む。潜熱蓄積装置では熱エネルギーは、蓄熱媒体の相（通常は、固体と液体の間）の変化として蓄積される。潜熱蓄積装置に蓄積されるエネルギーの大きさは、蓄熱材料の質量および溶解の潜熱に依存する。他の実施形態では熱エネルギー蓄積装置１４は、顕熱蓄積装置を含む。顕熱蓄積装置では熱エネルギーは、用いられる蓄熱媒体の温度変化として蓄積される。顕熱蓄積装置に蓄積されるエネルギーの大きさは、蓄熱材料の温度変化に依存する。「顕熱」および「潜熱」という用語は、材料および熱力学システムに対するそれらの効果の点から、同じ形のエネルギーすなわち熱を特徴付ける。
【００１６】
システム１０はさらに、第１の制御装置２８から、熱エネルギー蓄積装置１４と熱回収システム１６の間に配置された第２の制御装置３２に延びる迂回路３０を含む。迂回路３０は、熱エネルギー蓄積装置１４を迂回して、タービン２０から熱回収システム１６への膨張した排気ガス２３の流れを可能にするように構成される。第２の制御装置３２は、熱エネルギー蓄積装置１４からの熱２５、およびタービン２０からの膨張した排気ガス２３の少なくとも１つの、熱回収システム１６への流れを制御するように構成される。図示の実施形態では第２の制御装置３２は、第２の制御３方向弁を含む。
【００１７】
一実施形態ではガスタービン１２が動作するときは、膨張した排気ガス２３は、第１の制御装置２８を通じてタービン２０から熱エネルギー蓄積装置１４に供給されて、熱エネルギー蓄積装置１４を蓄熱する。他の実施形態ではガスタービン１２が動作するときは、タービン２０からの膨張した排気ガス２３は、第１の制御装置２８、迂回路３０、および第２の制御装置３２を通じて熱回収システム１６に供給される。他の実施形態ではガスタービン１２が動作していないときは、蓄積された熱エネルギー２５は、第２の制御装置３２を通じて熱回収システム１６に供給される。一実施形態ではガスタービン１２が動作していないときは、蓄積された熱エネルギー２５は、第２の制御装置３２、および中間ループたとえばオイルループを通じて熱回収システム１６に供給される。他の実施形態では、熱エネルギー蓄積装置１４は熱回収システム１６と統合され、それによりガスタービン１２が動作していないときに熱エネルギー２５が熱回収システム１６に移動されることを可能にする。
【００１８】
図示の実施形態では熱回収システム１６は、ランキンサイクルシステム、たとえば有機ランキンサイクルシステムである。ランキンサイクルシステム１６を通して、有機作動流体を循環することができる。有機作動流体は、シクロヘキサン、シクロペンタン、チオフェン、ケトン系溶剤、芳香族化合物、またはそれらの組み合わせを含むことができる。ランキンサイクルシステム１６は、第２の制御装置３２に結合された蒸発器３４を含む。一実施形態では蒸発器３４は、熱エネルギー蓄積装置１４に蓄積された熱エネルギー２５からの熱を受け取り、有機作動流体蒸気２７を発生する。他の実施形態では蒸発器３４は、第１の制御装置２８、迂回路３０、および第２の制御装置３２を通じてタービン２０から供給される膨張した排気ガス２３からの熱を受け取り、有機作動流体蒸気２７を発生する。有機作動流体蒸気２７は、膨張器３６（これは一実施例ではラジアル型膨張器を備える）を通過されて、第２の大きさの電力を発生するように構成された発電機３８を駆動する。いくつかの他の例示的実施形態では膨張器３６は、アキシャル型膨張器、インパルス型膨張器、または高温スクリュー型膨張器とすることができる。膨張器３６を通過した後に、比較的低圧、低温の膨張した有機作動流体蒸気２９は、凝縮器４０に通過される。有機作動流体蒸気２９は、液体３１に凝縮され、次いでポンプ４２によって蒸発器３４にポンピングされる。次いでこのサイクルは繰り返すことができる。
【００１９】
本発明の図示の例示的実施形態によれば、昼間はガスタービンシステム１２は、集められた太陽光１３によって動力供給される。集められた太陽光１３は、ガスタービンシステム１２の燃焼器２２において燃料の代わりに使用される。タービン２０からの排気ガス２３の熱は、熱エネルギー蓄積装置１４に蓄積され、または熱回収システム１６に動力供給するために直接使用され、またはそれらの組み合わせとなる。タービン２０からの排気ガス２３の熱は、太陽熱の利用可能性、またはピークエネルギー要求時の追加電力需要に応じて、平行して熱蓄積装置１４に蓄熱し、かつ熱回収システム１６に動力供給するように柔軟に使用することができる。夜間にガスタービンシステム１２に動力供給するのに十分な太陽熱を利用できないときは、熱エネルギー蓄積装置１４に蓄積された熱２５は、熱回収システム１６に動力供給するために使用される。したがってシステム１０は、太陽熱の利用可能性または電力需要に応じて柔軟に動作させることができる。システム１０の利用率は、熱エネルギー蓄積装置１４の熱エネルギー蓄積能力により向上する。ここで、熱エネルギー蓄積装置１４は、集められた太陽光１３から直接ではなく、タービン２０から供給された排気ガス２３の熱を蓄積するために用いられることに留意されたい。このようなシステムではタービン２０からの排気ガス２３の温度は、たとえば摂氏約４００°から約５００°の範囲で比較的低いので、熱の蓄積は集められた太陽光１３から直接熱を蓄積するのと比べてずっと容易である。
【００２０】
図２を参照すると、本発明の他の例示的実施形態による、電力を発生するためのコンバインドサイクルシステム１０が示される。システム１０は、ガスタービンシステム１２と、熱エネルギー蓄積装置１４と、熱回収システム４４とを含む。一実施形態では膨張した排気ガス２３は、第１の制御装置２８を通じてタービン２０から熱エネルギー蓄積装置１４に供給されて、熱エネルギー蓄積装置１４を蓄熱する。他の実施形態では、タービン２０からの膨張した排気ガス２３は、第１の制御装置２８、迂回路３０、および第２の制御装置３２を通じて熱回収システム４４に供給される。他の実施形態では蓄積された熱エネルギー２５は、第２の制御装置３２を通じて熱回収システム４４に供給される。
【００２１】
図示の実施形態では熱回収システム４４は、水蒸気サイクルシステムである。ここで図示の水蒸気サイクルシステム４４は例示的実施形態であり、応用例に応じて変わり得ることに留意されたい。水蒸気サイクルシステム４４は、第２の制御装置３２に結合された蒸発器４６を含む。一実施形態では蒸発器４６は、熱エネルギー蓄積装置１４に蓄積された熱エネルギー２５から熱を受け取り、水蒸気３３を発生する。他の実施形態では蒸発器４６は、第１の制御装置２８、迂回路３０、および第２の制御装置３２を通じてタービン２０から供給される膨張した排気ガス２３から熱を受け取り、水蒸気３３を発生する。
【００２２】
蒸発器４６からの飽和蒸気３３は、高圧タービン４８によって膨張される。高圧タービン４８は、電力を発生するように構成された発電機５０に結合される。高圧タービン４８からの湿った水蒸気３５は乾燥され、湿分分離器再熱器５２にて過熱される。湿分分離器再熱器５２から供給される飽和または過熱蒸気３７は、低圧タービン５４内で膨張される。低圧タービン５４は、電力を発生するように構成された発電機５６に結合される。低圧タービン５４からの排気水蒸気３９は、凝縮器５８によって凝縮され、凝縮器５８では熱は一定の真空条件下で冷媒に移動される。凝縮器５８からの給水４１は、給水４１を加熱するためにポンプ６０によって予熱器６２に供給される。予熱器６２からの給水は、一定の圧力条件にて給水を蒸発するために、ポンプ６４（オプションによる）によって蒸発器４６に供給される。このサイクルは繰り返される。
【００２３】
図１および図２を参照すると熱回収システムは、タービン２０からの排気ガスの温度、または熱エネルギー蓄積装置１４のタイプに基づいて、ランキンサイクルシステム１６、または水蒸気サイクルシステム４４、またはそれらの組み合わせを含むことができる。ピーク電力要求時は最大電力を発生するために、ガスタービンシステム１２と熱回収システム１６、４４の両方に動力供給することができる。熱エネルギー蓄積装置１４は、十分な太陽放射が利用可能で、電力需要が最小であるときは、柔軟に蓄熱することができる。ガスタービンシステム１２は集められた太陽放射を用いて動力供給されるので、システム１０ではより高いサイクル温度を達成することができる。システム１０は、ガスタービンシステム１２の燃焼器２２内の高い温度、タービン２０内での膨張によるガス温度の減少、熱蓄積装置１４内の低温の熱、および効率的な廃熱回収システム１６の使用により、高い総合サイクル効率が可能になる。
【００２４】
本明細書で述べたようにシステムは、ガスタービンシステムと、熱エネルギー蓄積装置と、熱回収システムとを含む。ガスタービンシステムは、第１の大きさの電力を発生するために、太陽エネルギーによって動力供給される。熱エネルギー蓄積装置は、ガスタービンシステムに結合され、ガスタービンシステムから膨張した排気ガスを選択的に受け取り、膨張した排気ガスの熱を蓄積するように構成される。熱回収システムは、ガスタービンシステムおよび熱エネルギー蓄積装置に結合される。熱回収システムは、第２の大きさの電力を発生するために、ガスタービンシステムおよび熱エネルギー蓄積装置の少なくとも１つによって選択的に動力供給される。
【００２５】
他の例示的実施形態によれば、方法は、第１の大きさの電力を発生するために、太陽エネルギーを用いてガスタービンシステムに動力供給するステップを含む。方法はさらに、膨張した排気ガスの熱を熱エネルギー蓄積装置に蓄積するように、膨張した排気ガスをガスタービンシステムから熱エネルギー蓄積装置に選択的に導くステップを含む。方法はまた、第２の大きさの電力を発生するために、ガスタービンシステムおよび熱エネルギー蓄積装置の少なくとも１つによって、熱回収システムに選択的に動力供給するステップを含む。
【００２６】
他の例示的実施形態によれば、システムは、ガスタービンシステムと、熱エネルギー蓄積装置とを含む。ガスタービンシステムは、第１の大きさの電力を発生するために、太陽エネルギーによって動力供給される。熱エネルギー蓄積装置は、ガスタービンシステムに結合される。熱エネルギー蓄積装置は、ガスタービンシステムから膨張した排気ガスを選択的に受け取り、膨張した排気ガスの熱を蓄積するように構成される。ガスタービンシステムおよび熱エネルギー蓄積装置は、熱回収システムに結合されるように構成される。ガスタービンシステムおよび熱エネルギー蓄積装置の少なくとも１つは、第２の大きさの電力を発生するために、熱回収システムに選択的に動力供給するように構成される。
【００２７】
他の例示的実施形態によれば、システムは、熱エネルギー蓄積装置と、熱回収システムとを含む。熱回収システムは、熱エネルギー蓄積装置に結合される。熱エネルギー蓄積装置および熱回収システムは、第１の大きさの電力を発生するために、太陽エネルギーによって動力供給されるガスタービンシステムに結合されるように構成される。熱エネルギー蓄積装置は、ガスタービンシステムから膨張した排気ガスを選択的に受け取り、膨張した排気ガスの熱を蓄積するように構成される。熱回収システムは、第２の大きさの電力を発生するために、ガスタービンシステムおよび熱エネルギー蓄積装置の少なくとも１つによって選択的に動力供給される。
【００２８】
本明細書では本発明のいくつかの特徴のみを図示し説明してきたが、当業者には多くの変形および変更を思いつくであろう。したがって添付の特許請求の範囲は、本発明の真の趣旨に含まれるものとしてこのような変形および変更のすべてを包含するものであることを理解されたい。
【符号の説明】
【００２９】
１０  コンバインドサイクルシステム、システム
１１  空気
１２  ガスタービンシステム
１３  太陽放射、太陽光
１４  熱エネルギー蓄積装置
１５  加圧された空気
１６  熱回収システム
１７  太陽光ミラー
１８  圧縮機
１９  ソーラータワー受光器
２０  タービン
２１  ガス流
２２  燃焼器
２３  膨張した排気ガス
２５  熱、熱エネルギー
２６  発電機
２７  有機作動流体蒸気
２８  第１の制御装置
２９  有機作動流体蒸気
３０  迂回路
３１  液体
３２  第２の制御装置
３３  水蒸気
３４  蒸発器
３５  水蒸気
３６  膨張器
３７  飽和または過熱蒸気
３８  発電機
３９  排気水蒸気
４０  凝縮器
４１  給水
４２  ポンプ
４４  熱回収システム、水蒸気サイクルシステム
４６  蒸発器
４８  高圧タービン
５０  発電機
５２  湿分分離器再熱器
５４  低圧タービン
５６  発電機
５８  凝縮器
６０  ポンプ
６２  予熱器
６４  ポンプ
【図１】
2013076401.tif 000003
【図２】
2013076401.tif 000004